(57)【特許請求の範囲】
【請求項１】
内容物を吐出する吐出孔が形成された吐出ヘッドを備えた吐出容器を保持する保持ケースであって、
壁面から突出する突出部に保持される基部と、
前記基部から前記突出部の反対側に向けて突設され、前記吐出容器を下方から支持する支持部と、
前記基部に、前記支持部に対して移動自在に支持され、前記吐出容器を開放自在に覆うカバーと、を備え、
前記基部には、下方に向けて開口すると共に、その内側に前記突出部が差し込まれる差込み凹部が形成され、
前記支持部又は前記カバーには、前記吐出孔を外部に露出させる露出口が形成され、
前記カバーには、前記吐出ヘッドをその容器軸方向に沿って前記支持部に対して押し込み、前記内容物を前記吐出孔から吐出させる操作部が形成され、
前記カバーは、前記吐出容器を上方から覆う天壁部を備えると共に、前記天壁部が前記吐出容器に対して容器軸方向に接近及び離反するように、前記基部の上端部に水平方向に延びる回転軸線回りに回転自在に支持され、
前記操作部は、前記天壁部に形成され、下方に向けて突出し、
前記カバーは、前記回転軸線方向に間隔をあけて配置された一対の側壁部を備え、
前記側壁部の外周縁のうち、前記突出部を向く側端縁の下部は、下方に向かうにしたがい前記基部から漸次離間していることを特徴とする吐出容器の保持ケース。
【請求項２】
請求項１に記載の吐出容器の保持ケースにおいて、
前記露出口は、前記支持部に形成され、
前記支持部は、前記露出口を通して前記吐出ヘッドを前記支持部よりも下方に突出させた状態で、前記吐出容器を倒立姿勢で支持していることを特徴とする吐出容器の保持ケース。
【請求項３】
内容物を吐出する吐出孔が形成された吐出ヘッドを備えた吐出容器を保持する保持ケースであって、
壁面から突出する突出部に保持される基部と、
前記基部から前記突出部の反対側に向けて突設され、前記吐出容器を下方から支持する支持部と、
前記基部に、前記支持部に対して移動自在に支持され、前記吐出容器を開放自在に覆うカバーと、を備え、
前記基部には、下方に向けて開口すると共に、その内側に前記突出部が差し込まれる差込み凹部が形成され、
前記支持部には、前記吐出孔を外部に露出させる露出口が形成され、
前記カバーには、前記吐出ヘッドをその容器軸方向に沿って前記支持部に対して押し込み、前記内容物を前記吐出孔から吐出させる操作部が形成され、
前記支持部は、前記露出口を通して前記吐出ヘッドを前記支持部よりも下方に突出させた状態で、前記吐出容器を倒立姿勢で支持し、
前記カバーは、前記吐出容器を上方から覆う天壁部と、前記吐出容器を前記基部側の反対側から覆う後壁部と、を備え、
前記操作部は、前記天壁部及び前記後壁部の上端部に一体に形成された貫通孔とされていることを特徴とする吐出容器の保持ケース。
【請求項４】
請求項１から３のいずれか１項に記載の吐出容器の保持ケースにおいて、
前記基部は、前記差込み凹部を画成し、且つ前記突出部を挟み込む一対の壁部を有し、
前記一対の壁部のうちの少なくとも一方の壁部は、他方の壁部に対して進退するように反転変形自在に形成された反転変形部を備えていることを特徴とする吐出容器の保持ケース。
【発明の詳細な説明】
【技術分野】
【０００１】
本発明は、吐出容器の保持ケースに関する。
【背景技術】
【０００２】
従来から、例えば下記特許文献１に記載されているように、洗浄液、芳香剤、或いは消臭剤等の内容物が収容された吐出容器を、取出し可能に収容するケースが知られている。
このケースによれば、例えばケース内から吐出容器を取り出して内容物を吐出することや、ケース内に吐出容器を収容したまま内容物を吐出することが可能とされ、必要に応じた使い方を行える。
【先行技術文献】
【特許文献】
【０００３】
【特許文献１】特開２０１２−７６７６７号公報
【発明の概要】
【発明が解決しようとする課題】
【０００４】
しかしながら、上記従来のケースでは、内容物を目的場所で使用するにあたって、ケースが置かれている場所から吐出容器を持ち出す、或いは吐出容器が収容されたケースごと持ち出す必要があり、手間がかかるという問題があった。
【０００５】
本発明は、このような事情に鑑みてなされたものであって、その目的は、目的場所で即座に内容物を吐出することができるうえ、吐出容器を邪魔になり難い位置に配置することができる吐出容器の保持ケースを提供することである。
【課題を解決するための手段】
【０００６】
（１）本発明に係る保持ケースは、内容物を吐出する吐出孔が形成された吐出ヘッドを備えた吐出容器を保持する保持ケースであって、壁面から突出する突出部に保持される基部と、前記基部から前記突出部の反対側に向けて突設され、前記吐出容器を下方から支持する支持部と、前記基部に、前記支持部に対して移動自在に支持され、前記吐出容器を開放自在に覆うカバーと、を備え、前記基部には、下方に向けて開口すると共に、その内側に前記突出部が差し込まれる差込み凹部が形成され、前記支持部又は前記カバーには、前記吐出孔を外部に露出させる露出口が形成され、前記カバーには、前記吐出ヘッドをその容器軸方向に沿って前記支持部に対して押し込み、前記内容物を前記吐出孔から吐出させる操作部が形成され、前記カバーは、前記吐出容器を上方から覆う天壁部を備えると共に、前記天壁部が前記吐出容器に対して容器軸方向に接近及び離反するように、前記基部の上端部に水平方向に延びる回転軸線回りに回転自在に支持され、前記操作部は、前記天壁部に形成され、下方に向けて突出し、前記カバーは、前記回転軸線方向に間隔をあけて配置された一対の側壁部を備え、前記側壁部の外周縁のうち、前記突出部を向く側端縁の下部は、下方に向かうにしたがい前記基部から漸次離間していることを特徴とする。
【０００７】
本発明によれば、壁面から突出した突出部に、基部及び支持部を介して吐出容器を保持できるので、吐出容器を邪魔になり難い場所に容易に配置することができる。しかも、壁面から突出した突出部を利用できるので、目的場所或いはその近傍に吐出容器を配置することができる。そのため、カバーの操作部を介して支持部に対して吐出ヘッドを押し込むことで、目的場所で即座に内容物を吐出することができる。
また、突出部に差し込まれる基部の差込み凹部が下方に向けて開口しているので、吐出孔から内容物を吐出する際、操作部を介して吐出ヘッドを容器軸方向に沿って押し込んだときの押込み力を、突出部に効果的に受け止めさせることができる。従って、吐出孔の開口がぐらつくことを抑制でき、吐出容器を安定させた姿勢のまま内容物を適切に吐出させることができる。
【０００９】
さらに、天壁部が吐出容器に対して容器軸方向に接近するように、カバーを回転軸線回りに回転させることで、天壁部に形成された操作部を利用して吐出ヘッドを支持部に対して容器軸方向に押し込むことができる。これにより、吐出孔から内容物を吐出させることができる。特に、カバー自体を回転させるだけの簡便な操作で済むので、吐出時の操作性を向上させることができる。
【００１１】
さらに、天壁部が吐出容器に対して容器軸方向に接近するように、カバーを回転軸線回りに回転させたときに、一対の側壁部の側端縁が基部に干渉することを抑えることができる。従って、カバーを十分に回転させることができ、吐出ヘッドを容器軸方向に十分に押し込みながら内容物を吐出できる。
【００１２】
（２）前記露出口は、前記支持部に形成され、前記支持部は、前記露出口を通して前記吐出ヘッドを前記支持部よりも下方に突出させた状態で、前記吐出容器を倒立姿勢で支持しても良い。
【００１３】
この場合には、吐出容器を倒立姿勢で支持できるうえ、露出口を通して吐出ヘッドを支持部よりも下方に突出させた状態で吐出容器を支持できるので、内容物を下方に向けて吐出することができる。
【００１４】
（３）本発明に係る保持ケースは、内容物を吐出する吐出孔が形成された吐出ヘッドを備えた吐出容器を保持する保持ケースであって、壁面から突出する突出部に保持される基部と、前記基部から前記突出部の反対側に向けて突設され、前記吐出容器を下方から支持する支持部と、前記基部に、前記支持部に対して移動自在に支持され、前記吐出容器を開放自在に覆うカバーと、を備え、前記基部には、下方に向けて開口すると共に、その内側に前記突出部が差し込まれる差込み凹部が形成され、前記支持部には、前記吐出孔を外部に露出させる露出口が形成され、前記カバーには、前記吐出ヘッドをその容器軸方向に沿って前記支持部に対して押し込み、前記内容物を前記吐出孔から吐出させる操作部が形成され、前記支持部は、前記露出口を通して前記吐出ヘッドを前記支持部よりも下方に突出させた状態で、前記吐出容器を倒立姿勢で支持し、前記カバーは、前記吐出容器を上方から覆う天壁部と、前記吐出容器を前記基部側の反対側から覆う後壁部と、を備え、前記操作部は、前記天壁部及び前記後壁部の上端部に一体に形成された貫通孔とされていることを特徴とする。
【００１５】
本発明によれば、壁面から突出した突出部に、基部及び支持部を介して吐出容器を保持できるので、吐出容器を邪魔になり難い場所に容易に配置することができる。しかも、壁面から突出した突出部を利用できるので、目的場所或いはその近傍に吐出容器を配置することができる。そのため、カバーの操作部を介して支持部に対して吐出ヘッドを押し込むことで、目的場所で即座に内容物を吐出することができる。
また、突出部に差し込まれる基部の差込み凹部が下方に向けて開口しているので、吐出孔から内容物を吐出する際、操作部を介して吐出ヘッドを容器軸方向に沿って押し込んだときの押込み力を、突出部に効果的に受け止めさせることができる。従って、吐出孔の開口がぐらつくことを抑制でき、吐出容器を安定させた姿勢のまま内容物を適切に吐出させることができる。
さらに、吐出容器を倒立姿勢で支持できるうえ、露出口を通して吐出ヘッドを支持部よりも下方に突出させた状態で吐出容器を支持できるので、内容物を下方に向けて吐出することができる。また、カバーの天壁部及び後壁部の上端部に一体に形成された貫通孔を通して、倒立姿勢とされた吐出ヘッドを直接押し込むことができるので、内容物を下方に向けて吐出することができる。特に、操作部を貫通孔という簡易な構成で実現することができる。
【００１６】
（４）前記基部は、前記差込み凹部を画成し、且つ前記突出部を挟み込む一対の壁部を有し、前記一対の壁部のうちの少なくとも一方の壁部は、他方の壁部に対して進退するように反転変形自在に形成された反転変形部を備えていても良い。
【００１７】
この場合には、反転変形部を反転変形させることで一対の壁部同士の間隔を調整することができる。その際、壁面から突出する突出部の厚さに応じて反転変形部の弾性変形量を変えることができるので、様々な厚さの突出部に対応して基部を適切に保持させることができる。従って、保持ケースを利用して吐出容器を様々な場所に配置することができる。
【発明の効果】
【００１８】
本発明に係る保持ケースによれば、目的場所で即座に内容物を吐出することができるうえ、吐出容器を邪魔になり難い位置に配置することができる。
【図面の簡単な説明】
【００１９】
【図１】本発明に係る第１実施形態の保持ケースを示す上面図である。
【図２】図１に示す保持ケースの正面図である。
【図３】図１に示す保持ケースの側面図である。
【図４】図１に示す保持ケースを構成する基部及び支持部を保持ケースの側方から見た図である。
【図５】図４に示す基部及び支持部を保持ケースの正面から見た図である。
【図６】図４に示す基部及び支持部を保持ケースの上方から見た図である。
【図７】図２に示す状態から、ケースを回転軸線回りに回転させて内容物を上方に吐出している状態を示す側面図である。
【図８】本発明に係る第２実施形態の保持ケースを示す正面図である。
【図９】図８に示す状態から、ケースを回転軸線回りに回転させて内容物を下方に吐出している状態を示す正面図である。
【図１０】本発明に係る第３実施形態の保持ケースを示す正面図である。
【図１１】図１０に示す保持ケースの上面図である。
【図１２】図１０に示す保持ケースの側面図である。
【図１３】図１に示す基部の変形例を示す図であって、基部及び支持部を保持ケースの側面側から見た図である。
【図１４】図１３に示す基部及び支持部を保持ケースの正面から見た図である。
【発明を実施するための形態】
【００２０】
（第１実施形態）
以下、本発明に係る保持ケースの第１実施形態について図面を参照して説明する。
図１〜３に示すように、本実施形態の保持ケース１は、吐出容器１０を保持するためのケースであって、壁面Ａから突出するペーパホルダ２０のサイド板２３（突出部）に保持される基部２と、吐出容器１０を下方から支持する支持部３と、吐出容器１０を開放自在に覆うカバー４と、を備えている。
【００２１】
なお、本実施形態ではトイレ内に保持ケース１が取り付けられている場合を想定している。具体的には、ロール状のトイレットペーパＰを保持するペーパホルダ２０に取り付けられている場合を想定している。
また、本実施形態では、ペーパホルダ２０のサイド板２３がトイレの壁面Ａから突出する方向を前後方向Ｌ１といい、吐出容器１０の容器軸Ｏ１方向に沿う方向を上下方向Ｌ２という。さらに、前後方向Ｌ１及び上下方向Ｌ２の２方向に直交する方向を左右方向Ｌ３という。
【００２２】
はじめに、ペーパホルダ２０について簡単に説明する。
ペーパホルダ２０は、トイレットペーパＰを回転自在に支持する平面視Ｃ形状のホルダ本体２１と、紙切板２２と、を備えている。
ホルダ本体２１は、左右方向Ｌ３に間隔をあけて配置された一対のサイド板２３と、一対のサイド板２３を連結する連結板２４と、を備え、連結板２４を介して壁面Ａに固定されている。
【００２３】
一対のサイド板２３は、壁面Ａに対して直交するように突出しており、トイレットペーパＰの左右両側に配置されている。一対のサイド板２３には、トイレットペーパＰに向かって突出し、芯Ｐ１の内側に挿入される支持突起２５が各別に形成されている。
これにより、トイレットペーパＰは、その軸線Ｏ２を左右方向Ｌ３に向けた状態で、支持突起２５によって軸線Ｏ２回りに回転可能に支持されている。
【００２４】
次に吐出容器１０について簡単に説明する。
吐出容器１０は、例えば洗浄液等の内容物が収容される容器本体１１と、上方付勢状態で下方移動可能に配設された図示しないステムと、ステムに装着され内容物を吐出する吐出孔１４ａが形成された押下ヘッド（吐出ヘッド）１２と、容器本体１１の口部に装着され、ステムを口部に保持する装着キャップ１３と、を備えている。
押下ヘッド１２は、上端に吐出孔１４ａが形成されたノズル筒１４と、ノズル筒１４の下端部に形成されたフランジ状の係合部１５と、を備えている。
【００２５】
このように吐出容器１０が構成されているので、押下ヘッド１２をステムの上方付勢力に抗して押下げることで、容器本体１１内の内容物を、吐出孔１４ａを通じて外部に吐出することが可能となる。
【００２６】
次に保持ケース１について詳しく説明する。
基部２は、図１〜図６に示すように、表裏面が左右方向Ｌ３を向き、且つ互いが左右方向Ｌ３に対向する内壁部（一方の壁部）３０及び外壁部（他方の壁部）３１と、内壁部３０及び外壁部３１の上端部同士を連結する連結壁部３２と、を備えている。
これら内壁部３０、外壁部３１及び連結壁部３２によって囲まれた空間は、下方に向けて開口すると共に、ペーパホルダ２０の一方のサイド板２３が差し込まれる差込み凹部３３とされている。よって、内壁部３０及び外壁部３１は、差込み凹部３３を主に画成する壁部として機能する。
【００２７】
なお、内壁部３０及び外壁部３１の各上端部の上下方向Ｌ２の位置は、互いに同等とされている。内壁部３０の下端部は、外壁部３１の下端部よりも上方に位置している。さらに、内壁部３０及び外壁部３１の前後方向Ｌ１の長さは互いに同等とされている。
また、外壁部３１の上端部には、上方に向かって突出すると共に前後方向Ｌ１に沿って延びた軸受突起３４が形成されている。この軸受突起３４には、前後方向Ｌ１に貫通すると共に、左右方向Ｌ３に沿い、且つサイド板２３側に開口する軸孔３４ａが形成されている。
【００２８】
支持部３は、基部２からペーパホルダ２０におけるサイド板２３の反対側に向けて突設されている。具体的には、支持部３は、基部２における外壁部３１から左右方向Ｌ３に沿い、且つサイド板２３とは反対側（図２において、紙面の右側）に向けて突設された載置板４０を備えている。この載置板４０は外壁部３１の下端部に一体的に連設されている。
【００２９】
さらに支持部３は、吐出容器１０の容器本体１１を径方向の外側から保持する容器ホルダ４１を備えている。容器ホルダ４１は、前後方向Ｌ１に間隔をあけて配置された一対の保持アーム４２を備えている。
【００３０】
保持アーム４２は、載置板４０から上方に向けて突出すると共に、基部２の外壁部３１に対して一体となった板状の保持板４２ａと、保持板４２ａの上端部から左右方向Ｌ３に沿ってサイド板２３とは反対側に向けて突出し、容器本体１１を前後方向Ｌ１から挟み込む弾性アーム４２ｂと、を備えている。
【００３１】
このように支持部３が構成されているので、容器本体１１は容器ホルダ４１の弾性アーム４２ｂによって挟み込まれた状態で載置板４０上に支持されている。従って、容器本体１１はがたつき少なく安定して保持されている。
【００３２】
カバー４は、図１〜図３に示すように、吐出容器１０を上方から覆う天壁部５０と、前後方向Ｌ１に間隔をあけて配置された一対の側壁部５１と、吐出容器１０を基部２とは左右方向Ｌ３の反対側から覆う後壁部５２と、を備え、支持部３に対して移動自在に基部２に支持されている。
【００３３】
一対の側壁部５１は、基部２の外壁部３１及び支持部３の載置板４０よりも前後方向Ｌ１の外側に配置されていると共に、軸受突起３４よりも上方に突出している。これにより、天壁部５０は吐出容器１０を上方から覆っている。
【００３４】
一対の側壁部５１の上端部側には、前後方向Ｌ１に沿って延びる（水平方向に延びる）と共に、軸受突起３４の軸孔３４ａ内に挿入されて軸支される回転軸部５３が形成されている。この回転軸部５３は、例えば一対の側壁部５１を前後方向Ｌ１に互いに連結するように形成されていても構わないし、各一対の側壁部５１からそれぞれ前後方向Ｌ１に沿って軸孔３４ａ内に向けて突設されていても構わない。
これにより、カバー４は、天壁部５０が吐出容器１０に対して上下方向Ｌ２に接近、離反するように回転軸部５３の中心を前後方向Ｌ１に貫く回転軸線Ｍ回りに回転自在に支持されている。つまり、カバー４は、回転軸線Ｍ回りに回転することで支持部３に対して相対的に移動する。
【００３５】
一対の側壁部５１の各外周縁のうちサイド板２３を向く側端縁５１ａは、下方に向かうにしたがい基部２から漸次離間するように滑らかに湾曲している。そのため、側端縁５１ａの下部とサイド板２３との間には、左右方向Ｌ３に隙間が形成されている。
【００３６】
さらに、カバー４には、吐出容器１０の吐出孔１４ａを外部に露出させる露出口５５と、吐出容器１０を上下方向Ｌ２に沿って支持部３に対して押し込み、内容物を吐出孔１４ａから吐出させる操作部５６と、が形成されている。
【００３７】
露出口５５はカバー４の天壁部５０に形成されている。この際、露出口５５は回転軸線Ｍ回りのカバー４の回転に対応して、左右方向Ｌ３に長い楕円状に形成されている。
操作部５６は、天壁部５０から下方に向けて突出するように形成されている。図示の例では、操作部５６は、前後方向Ｌ１から見た側面視で三角形状とされた板状に形成され、下端部（頂点部）が吐出容器１０の係合部１５に対して上方から接触している。
【００３８】
なお、操作部５６は一対形成され、吐出容器１０のノズル筒１４を間に挟んで前後方向Ｌ１に並ぶように間隔をあけて配置されている。但し、操作部５６は一対である必要はなく、１つだけ形成されていれば良い。また、操作部５６の形状は、側面視で三角形状に形成される場合に限定されるものでもないし、板状に限定されるものでもない。例えば棒状の操作部５６であっても構わない。
【００３９】
（保持ケースの作用）
次に、上記のように構成された保持ケース１に保持された吐出容器１０を利用して、内容物を吐出する場合について説明する。
【００４０】
内容物を吐出する場合には、図７に示すように、天壁部５０が吐出容器１０に対して上下方向Ｌ２に接近するように、カバー４を回転軸線Ｍ回りに回転させる。すると、天壁部５０に形成された操作部５６が、カバー４の回転に伴って係合部１５を押下げるので、押下ヘッド１２を支持部３に対して下方に押し込むことができる。これにより、露出口５５を通じて上方に吐出しているノズル筒１４の吐出孔１４ａから、上方に向けて内容物を吐出することができる。
【００４１】
従って、例えばトイレットペーパＰを天壁部５０上に重ねながら、カバー４を回転軸線Ｍ回りに回転させることで、内容物をトイレットペーパＰに吹きかけることができ、そのトイレットペーパＰを使用して使用前に便座を拭く等の作業を行うことができる。
【００４２】
特に、トイレの壁面Ａから突出したペーパホルダ２０のサイド板２３に保持ケース１を取り付けているので、トイレットペーパＰの近傍に吐出容器１０を配置することができる。従って、トイレ内に入った後、トイレットペーパＰを手に取り、このトイレットペーパＰに内容物を吹きかけて便座を拭くといった作業を、一連の流れの中で行うことができ、使用前に便座を即座にきれいにすることができる。
しかも、トイレの壁面Ａから突出したペーパホルダ２０のサイド板２３に保持ケース１を取り付けているので、トイレ内の邪魔になり難い位置に保持ケース１及び吐出容器１０を容易に配置することができる。
【００４３】
また、内容物を吐出する際、回転軸線Ｍ回りにカバー４を回転させるだけの簡便な操作で済むので、吐出時の操作性を向上させることができると共に、カバー４の回転操作を行いながら内容物をトイレットペーパＰに吹きかける作業を、煩わしさを感じることなく行える。
しかも、カバー４における一対の側壁部５１の側端縁５１ａが、下方に向かうにしたがって基部２から漸次離間するように湾曲しているので、図７に示すように、カバー４を回転させたときに側端縁５１ａが基部２に干渉することを抑えることができる。従って、カバー４を十分に回転させることができ、押下ヘッド１２を十分に押し込みながら内容物を効率良く吐出させ易い。
【００４４】
（第２実施形態）
次に、本発明に係る保持ケースの第２実施形態について説明する。なお、この第２実施形態においては、第１実施形態における構成要素と同一の部分については、同一の符号を付しその説明を省略する。
【００４５】
図８に示すように、本実施形態の保持ケース６０は、露出口５５がカバー４の天壁部５０ではなく、支持部３における載置板４０に形成されている。この場合の露出口５５は、例えば平面視円形状に形成されていても構わない。このように、露出口５５が載置板４０に形成されているので、支持部３は露出口５５を通して押下ヘッド１２を支持部３よりも下方に突出させた状態で、吐出容器１０を倒立姿勢で支持することが可能とされている。
【００４６】
このように構成された保持ケース６０の場合には、回転軸線Ｍ回りにカバー４を回転させることで、内容物を下方に向けて吐出させることができる。従って、図９に示すように、例えばトイレットペーパＰを保持ケース６０の下方に待機させておくことで、内容物を上方からトイレットペーパＰに吹きかけることができる。
特に、内容物を下方に吐出させる場合には、吐出孔１４ａからトイレットペーパＰを下方に離した状態で吹き付けることができるので、内容物をトイレットペーパＰに対して広範囲に亘って吹き付け易い。そのため、少量の内容物で便座を効率良く拭くことが可能になる。
【００４７】
なお、本実施形態の場合には、操作部５６を容器本体１１の底部に対して接触させれば良いので、操作部５６を形成する際、ノズル筒１４の位置や係合部１５の位置を考慮しなくても良い。そのため、例えば操作部５６の下端部が容器本体１１の底部の中央部分に接触するように、天壁部５０の中央部に操作部５６を１つだけ形成することも可能である。
【００４８】
（第３実施形態）
次に、本発明に係る保持ケースの第３実施形態について説明する。なお、この第３実施形態においては、第２実施形態と同様に吐出容器１０を倒立姿勢で支持する構造となっており、第２実施形態における構成要素と同一の部分については、同一の符号を付しその説明を省略する。
【００４９】
図１０〜図１２に示すように、本実施形態の保持ケース７０は、カバー４の回転操作によって内容物を吐出する構成ではなく、吐出容器１０自身を下方に押し込むことで内容物を吐出する構成とされている。
【００５０】
本実施形態のカバー４は、サイド板２３に対して側端縁５１ａが上下方向Ｌ２の全長に亘って接触している。また、カバー４の天壁部５０は容器本体１１の底部に対して接触或いは近接している。さらに、カバー４における天壁部５０及び後壁部５２の上端部には、一体的に貫通孔（操作部）７１が形成されている。
貫通孔７１のうち天壁部５０側に形成された部分によって、容器本体１１の底部の全体が露出している。また、貫通孔７１は押下ヘッド１２の押下げ量に相当する分だけ後壁部５２を切り欠くように形成されている。
【００５１】
このように構成された保持ケース７０の場合には、例えばノズル筒１４を間に挟むように、載置板４０に対して下方から人差し指及び中指を接触させた状態で、貫通孔７１を通して親指を容器本体１１の底部に上方から接触させることができる。そのため、その状態から親指を下方に押し込むことで、押下ヘッド１２を支持部３に対して押し込むことができ、内容物を下方に向けて吐出させることができる。
特に、操作部を貫通孔７１という簡便な構成で実現できるので、構成の簡略化を図ることができる。
【００５２】
なお、本発明の技術範囲は、上記実施形態に限定されるものではなく、本発明の趣旨を逸脱しない範囲において、種々の変更を加えることが可能である。
【００５３】
例えば、上述した各実施形態では、保持ケースをペーパホルダ２０のサイド板２３に取り付けた例を説明したが、この場合に限定されるものではなく、壁面Ａから突出する突出部（構造部材）であれば保持ケースを取り付けることができる。よって、例えば内容物の種類（洗浄液、芳香剤、消臭剤等）に応じて、保持ケースを室内、台所や玄関等に取り付けて、吐出容器１０を配置することも可能である。
【００５４】
また、図１３及び図１４に示すように、基部２における外壁部３１の一部に、内壁部３０に対して進退するように反転変形自在に形成された板ばね状の反転変形部８０を形成しても良い。図示の例では、反転変形部８０は、前後方向Ｌ１よりも上下方向Ｌ２に長い長尺な板状に形成され、容器ホルダ４１の上方に配置されていると共に、前後方向Ｌ１に間隔をあけて配置されている。
【００５５】
この反転変形部８０は、上端部８０ａ及び下端部８０ｂが外壁部３１に反転変形自在に接続されており、上下方向Ｌ２の中央部８０ｃが反転変形時に左右方向Ｌ３に最も大きく移動する。なお、反転変形部８０は、外壁部３１側ではなく内壁部３０側に形成しても良いし、反転変形部８０の数は２つに限定されるものではない。
【００５６】
このように構成された基部２を有する保持ケース９０の場合には、反転変形部８０を反転変形させることで、内壁部３０と外壁部３１との間隔を調整することができる。従って、壁面Ａから突出する突出部９１が、例えばタオル掛け等の厚みの薄い（左右方向Ｌ３に厚みが薄い）棒状部材であったとしても、保持ケース９０を確実に取り付けることができる。
特に、壁面Ａから突出する突出部９１の厚さに応じて、反転変形部８０の弾性変形量を変えることが可能であるので、様々な厚さの突出部９１に対応して保持ケース９０を取り付けることができる。従って、保持ケース９０を利用して、吐出容器１０を様々な場所に配置することができる。
【００５７】
その他、本発明の趣旨に逸脱しない範囲で、前記実施形態における構成要素を周知の構成要素に置き換えることは適宜可能であり、また、前記した変形例を適宜組み合わせてもよい。
例えば、上記実施形態では、押下ヘッド（吐出ヘッド）１２を上方に突出したノズル形状としていたが、例えば、従来から使用されているスプレーの吐出ヘッド等のような構成を採用できる。従って、押下ヘッド（吐出ヘッド）の形状は特に限定されるものではなく、どのような形態でも構わない。
【符号の説明】
【００５８】
Ａ…壁面
Ｍ…回転軸線
Ｏ１…容器軸
１、６０、７０、９０…保持ケース
２…基部
３…支持部
４…カバー
１０…吐出容器
１２…押下ヘッド（吐出ヘッド）
１４ａ…吐出孔
２３…サイド板（突出部）
３０…基部の内壁部（壁部）
３１…基部の外壁部（壁部）
３３…差込み凹部
５０…カバーの天壁部
５２…カバーの後壁部
５１…カバーの側壁部
５１ａ…側壁部の側端縁
５５…露出口
５６…操作部
７１…貫通孔（操作部）
８０…反転変形部
９１…突出部
【図１】
0006706469.tif 000002
【図２】
0006706469.tif 000003
【図３】
0006706469.tif 000004
【図４】
0006706469.tif 000005
【図５】
0006706469.tif 000006
【図６】
0006706469.tif 000007
【図７】
0006706469.tif 000008
【図８】
0006706469.tif 000009
【図９】
0006706469.tif 000010
【図１０】
0006706469.tif 000011
【図１１】
0006706469.tif 000012
【図１２】
0006706469.tif 000013
【図１３】
0006706469.tif 000014
【図１４】
0006706469.tif 000015